(57)【要約】【課題】携帯機器の光学系の一部を筐体の縁部近傍に配置する。【解決手段】筐体の中心に対して周縁方向に寄せられて配置された第１光学系と、筐体に対して収納状態と伸展状態をとるグリップ部とを備え、グリップ部の収納状態に対する伸展状態の方向は、筐体の中心に対する第１光学系の方向の成分を含む。上記携帯機器は、第１光学系に入射する光束から取得される第１撮影画像、および、第２光学系に入射する光束から取得される第２撮影画像の少なくとも一方の画像取得開始を指示する操作部材を備え、操作部材は、グリップ部に配置されてもよい。【選択図】図４
2012032651.tif 000002
【特許請求の範囲】
【請求項１】
筐体の中心に対して周縁方向に寄せられて配置された第１光学系と、
前記筐体に対して収納状態と伸展状態をとるグリップ部と
を備え、
前記グリップ部の前記収納状態に対する前記伸展状態の方向は、前記筐体の前記中心に対する前記第１光学系の方向の成分を含む携帯機器。
【請求項２】
前記グリップ部は、前記収納状態において前記第１光学系に入射する光束を遮蔽し、前記伸展状態において前記第１光学系に入射する光束を遮蔽しない請求項１に記載の携帯機器。
【請求項３】
前記筐体の中心に対して、前記第１光学系とは反対の周縁方向に寄せられて配置された第２光学系を備える請求項１または２に記載の携帯機器。
【請求項４】
前記第２光学系に入射する光束を遮蔽する遮蔽状態と、遮蔽しない退避状態をとるカバー部材を備え、
前記カバー部材は、前記遮蔽状態および前記退避状態において、前記筐体の周縁部から延出しない請求項３に記載の携帯機器。
【請求項５】
前記第１光学系に入射する光束から取得される第１撮影画像、および、前記第２光学系に入射する光束から取得される第２撮影画像の少なくとも一方の画像取得開始を指示する操作部材を備え、
前記操作部材は、前記グリップ部に配置される請求項３または４に記載の携帯機器。
【請求項６】
３次元画像の生成に関するパラメータを変更する変更操作部材を備え、
前記変更操作部材は、前記グリップ部が前記収納状態のときは前記グリップ部に覆われ、前記グリップ部が前記伸展状態のときは外部に露出される請求項３から５のいずれか１項に記載の携帯機器。
【請求項７】
前記第１光学系と前記第２光学系の間に配置される被写体照明用の照明部を備える請求項３から６のいずれか１項に記載の携帯機器。
【請求項８】
筐体の中心に対して左右にそれぞれ寄せられて配置された第１光学系および第２光学系と、
前記第１光学系に入射する光束から取得される第１撮影画像、および、前記第２光学系に入射する光束から取得される第２撮影画像を処理する画像処理部と、
前記筐体に対して収納状態と伸展状態をとるグリップ部と
を備え、
前記グリップ部の前記収納状態に対する前記伸展状態の方向は、前記筐体の前記中心に対する前記第１光学系の方向の成分を含む撮像装置。
【発明の詳細な説明】
【技術分野】
【０００１】
本発明は、携帯機器および撮像装置に関する。
【背景技術】
【０００２】
互いに離間した光学系を携帯機器に装備する場合がある。このような携帯機器では、光学系の少なくとも一部が筐体の周縁部近傍に配置される（特許文献１参照）。
［先行技術文献］
［特許文献］
［特許文献１］特開２００５−２７７６０６号公報
【発明の概要】
【発明が解決しようとする課題】
【０００３】
携帯機器において光学系の一部を筐体周縁部近傍に配置した場合、当該携帯機器を保持する手の指先等が光学系の光路上に侵入する指掛かりが生じ易くなる。
【課題を解決するための手段】
【０００４】
そこで、上記課題を解決すべく、本発明の第一態様として、筐体の中心に対して周縁方向に寄せられて配置された第１光学系と、筐体に対して収納状態と伸展状態をとるグリップ部とを備え、グリップ部の収納状態に対する伸展状態の方向は、筐体の中心に対する第１光学系の方向の成分を含む携帯機器が提供される。
【０００５】
また、本発明の第二態様として、筐体の中心に対して左右にそれぞれ寄せられて配置された第１光学系および第２光学系と、第１光学系に入射する光束から取得される第１撮影画像、および、第２光学系に入射する光束から取得される第２撮影画像を処理する画像処理部と、筐体に対して収納状態と伸展状態をとるグリップ部とを備え、グリップ部の収納状態に対する伸展状態の方向は、筐体の中心に対する第１光学系の方向の成分を含む撮像装置が提供される。
【０００６】
上記の発明の概要は、本発明の必要な特徴の全てを列挙したものではない。また、これら特徴群のサブコンビネーションも発明となり得る。
【図面の簡単な説明】
【０００７】
【図１】デジタルカメラ１００を斜め前方から見下ろした斜視図である。
【図２】デジタルカメラ１００を斜め前方から見下ろした斜視図である。
【図３】デジタルカメラ１００を斜め後方から見下ろした斜視図である。
【図４】デジタルカメラ１００を斜め前方から見下ろした斜視図である。
【図５】デジタルカメラ１００の内部構造を示す図である。
【図６】デジタルカメラ１００を斜め後方から見下ろした斜視図である。
【発明を実施するための形態】
【０００８】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００９】
図１は、デジタルカメラ１００を斜め前方から見下ろした斜視図である。同図は、携帯機器として携帯する場合のデジタルカメラ１００の状態を示す。
【００１０】
なお、上記前方とは、デジタルカメラ１００に対して被写体側をいう。また、以下の説明において記載する上、下、左および右は、各図において描かれた状態における図上の位置関係を示す。よって、上、下、左および右の意味するところは、他の図あるいは他の形態において常に同じ方向になるとは限らない。
【００１１】
デジタルカメラ１００は、略直方体の筐体１１０と、筐体１１０の表面に配されたグリップ部１３０および前面カバー１４０を含むカバー部材とを備える。グリップ部１３０は、筐体１１０の図中左側の前面および上面を覆う。前面カバー１４０は、筐体１１０の前面に配される。
【００１２】
グリップ部１３０は、筐体１１０と連続した表面を有する。ただし、筐体１１０およびグリップ部１３０の間には、合わせ目１１１が形成される。合わせ目１１１は、筐体１１０の上面に連続する。更に、合わせ目１１１は、図中には見えない、背面および底面にも連続して、デジタルカメラ１００の周囲を一周する。また、グリップ部１３０の上面にはレリーズボタン１２２および押しボタン１２４が、グリップ部１３０の前面には指掛け部１３２が、それぞれ配される。
【００１３】
レリーズボタン１２２は、押し下げ量に応じた２段階の機能を有する。即ち、レリーズボタン１２２の押し下げ量が少ない半押状態になったときには、デジタルカメラ１００の自動合焦機構が起動して撮像光学系が合焦動作する。また、レリーズボタン１２２の押し下げ量が大きい全押状態になると、デジタルカメラ１００に対して画像取得の開始が指示される。
【００１４】
上記のように、レリーズボタン１２２は、合焦開始および画像取得開始の各タイミングをデジタルカメラ１００に指示する場合にユーザが押し下げる。よって、レリーズボタン１２２は、他の押しボタン１２４よりも大きな寸法を有する。また、レリーズボタン１２２は、他の押しボタン１２４よりも押し易い位置に配される。押しボタン１２４には、例えば、電源スイッチ、再生モードへの切替等が割り当てられる。
【００１５】
指掛け部１３２は、筐体１１０およびグリップ部１３０の前面に対して、更に前方に隆起する。指掛け部１３２は、デジタルカメラ１００を保持する場合に指掛かりとして機能して、筐体１１０の保持を確実にする。指掛け部１３２を指掛かりとしてデジタルカメラ１００を把持した場合に、デジタルカメラ１００を把持する手の人指し指により、レリーズボタン１２２および押しボタン１２４を操作できる。
【００１６】
なお、レリーズボタン１２２の半押状態に対しては、自動合焦機構の起動の他、自動露出機構の起動等も割り当てられる場合がある。また、自動合焦機構により得られた合焦状態、自動露出機構により得られた露出条件等を保持する目的で、ユーザが半押状態を維持する場合がある。更に、レリーズボタン１２２の半押し状態に割り当てられた機能の一部または全部を取り消す機能を有する場合もある。
【００１７】
また、デジタルカメラ１００における押しボタン１２４の数に制限はなく、例示した場合よりも多い場合も少ない場合もあり得る。また、押しボタン１２４の機能にも制限はなく、デジタルカメラ１００の有する機能に応じて、動画撮影等の開始および終了、プロジェクタ等の付加機能のオン／オフ等が割り当てられる場合がある。
【００１８】
図２は、デジタルカメラ１００を斜め前方から見下ろした斜視図である。同図は、前面カバー１４０が退避状態へ移動して、前玉１５２が遮蔽されていない状態のデジタルカメラ１００を示す。図１と共通の要素には同じ参照番号を付して重複する説明を省く。
【００１９】
前面カバー１４０は、それ自体の背後に配された一対のガイドレール１４２により筐体１１０の前面に係合する。これにより、前面カバー１４０は、筐体１１０の前面に沿って、図中上下に移動できる。
【００２０】
図２に示した状態では、前面カバー１４０は、図中の矢印Ａで示すように筐体１１０の前面に沿って下方に移動している。また、前面カバー１４０が移動したことにより、筐体１１０の前面上部には、前玉１５２と、フラッシュ１６２および補助光源１６４を含む照明部とが現れている。
【００２１】
ただし、前面カバー１４０は、スライドして前玉１５２、フラッシュ１６２および補助光源１６４を露出させた状態においても、筐体１１０の前面から外に延出することはない。よって、前面カバー１４０のスライドにより、筐体１１０の実用上の寸法が大きくなることはない。
【００２２】
前玉１５２は、筐体１１０に内蔵された第１の光学系の一部をなす。なお、図示の例では、当該光学系は、筐体１１０の内部で光軸を下方に屈曲した屈曲光学系を成す。この屈曲光学系において、前玉１５２と反対側の端部には、筐体１１０の底面と平行な撮像素子が配され、前玉１５２から入射した被写体光束に応じた画像を撮像できる。
【００２３】
フラッシュ１６２は、ユーザによりデジタルカメラ１００に強制発光モードが設定された場合、デジタルカメラ１００に自動発光モードが設定されており、自動露出機構が発光を指示した場合等に、画像取得開始のタイミングに合わせて発光して被写体を照明する。補助光源１６４は、被写体からの光量が足りない場合に被写体に向かって補助光を照射して、自動合焦機構の動作を補助する。
【００２４】
なお、グリップ部１３０を含む筐体１１０の中心に対して、前玉１５２は右側に寄せて配される。よって、掌がグリップ部１３０の側面に対向するようにユーザの右手をグリップ部１３０に添えて、同右手の中指、薬指および小指の少なくとも一部を指掛け部１３２に掛け、同右手の親指をグリップ部１３０の背面に回すことによりグリップ部１３０全体を把持して、デジタルカメラ１００を確実に保持できる。
【００２５】
また、指掛け部１３２と前玉１５２とは、筐体１１０の前面において互いに離れた位置に配されている。よって、指掛け部１３２に指を掛けてグリップ部１３０を把持した場合であっても、前玉１５２に指が掛かることはない。
【００２６】
更に、図１に示した状態から図２に示した状態への前面カバー１４０の移動に、デジタルカメラ１００の電源投入を連動させてもよい。即ち、前玉１５２、フラッシュ１６２および補助光源１６４が前面カバー１４０により覆われている場合はデジタルカメラ１００の電源を遮断して、前面カバー１４０が移動して前玉１５２、フラッシュ１６２および補助光源１６４が露出した場合はデジタルカメラ１００の電源を投入するようにしてもよい。これにより、デジタルカメラ１００に対するユーザの操作手順を減らすことができると共に、電源スイッチに割り当てる部品を削減できる。
【００２７】
図３は、デジタルカメラ１００を斜め後方から見下ろした斜視図である。同図は、図１または図２に示した状態のデジタルカメラ１００を、背面側から見た様子を示す。図１および図２と共通の要素には同じ参照番号を付して重複する説明を省く。
【００２８】
合わせ目１１１は、筐体１１０の上面から背面にも連続する。筐体１１０の背面において、合わせ目１１１に対して左側には液晶表示部１７０が配される。液晶表示部１７０は、筐体１１０の背面に固定され、デジタルカメラ１００の動作について各種の設定する場合にメニュー等を表示する。
【００２９】
また、液晶表示部は１７０に、例えば、「レンチキュラーシート」と呼ばれるシートを重ねてもよい。このシートにより、液晶表示部１７０に表示させる画像は、閲覧者の右眼には右目用画像として、左眼には左目用画像として視認させることができる。このとき、閲覧者が視認する左目用画像と右目用画像とが同時に（または少ない時間間隔で）撮像された画像であり、かつ、左目用画像と右目用画像とが所定の視差を有する画像である場合には、上述の表示により、液晶表示部１７０に表示させた画像を立体的に視認させることができる。本実施形態では、このように表示させた画像を立体視画像と称する。
【００３０】
また、被写体画像を表示するファインダとしても機能する。更に、手動または自動で設定された撮影条件、撮影画像の再生画像、記録媒体の残量、電池の残量等も表示する。更に、液晶表示部１７０の表面に重畳させて接触操作可能なパネル（例えば感圧パネル）を備えて、操作部の一部とする場合もある。
【００３１】
筐体１１０の背面においては、合わせ目１１１の右側がグリップ部１３０をなす。グリップ部１３０の背面には、更に複数の押しボタン１２４と十字キー１２６とが配される。また、グリップ部１３０の側面には、ストラップホール１３４が配される。
【００３２】
このような配置により、指掛け部１３２を指掛かりとしてデジタルカメラ１００を把持した手の親指で、背面の押しボタン１２４および十字キー１２６を操作できる。また、ストラップホール１３４に結合したストラップに手首を通した状態で、指掛け部１３２を含むグリップ部１３０を保持できる。
【００３３】
よって、図２に示したように前玉１５２、フラッシュ１６２および補助光源１６４を露出させた状態であれば、レリーズボタン１２２等を操作して画像を撮影できる。また、図１に示したように前玉１５２等が前面カバー１４０により覆われた状態でも、押しボタン１２４および十字キー１２６等を操作して、液晶表示部１７０に画像を表示させることができる。
【００３４】
なお、デジタルカメラ１００は、図示したものの他に、ダイヤル、レバー等の他の操作部材、パイロットランプ、警告ブザー、スピーカ等の他の表示部材、マイクロフォンのような他の入力部材を、筐体１１０およびグリップ部１３０の表面に配する場合がある。また、デジタルカメラ１００には、ＵＳＢ、ＨＤＭＩ等のコネクタ、電力供給端子等を設ける場合もある。更に、デジタルカメラ１００には、記録媒体を挿抜するソケットと、それを封止するハッチとが設けられる場合もある。
【００３５】
図４は、デジタルカメラ１００を斜め前方から見下ろした斜視図である。同図は、図２に示した状態から、更に、図中に矢印Ｂで示すように、グリップ部１３０が左側に引き出された状態を示す。図１から図３までと共通の要素には同じ参照番号を付して重複する説明を省く。
【００３６】
図示のように、グリップ部１３０は、筐体１１０に対して側方に引き出すことができる。即ち、グリップ部１３０は、その内部に配されたガイドレール１３１により筐体１１０の前面に係合する。これにより、グリップ部１３０は、筐体１１０の幅方向の一方（図中左側）に、筐体１１０に対して移動できる。
【００３７】
グリップ部１３０が引き出された場合、グリップ部１３０は、依然として筐体１１０の側端部と、前面、上面、背面および下面の一部とを覆う。しかしながら、グリップ部１３０が引き出された分だけ、筐体１１０の前面側隠れ面１１３および上面側隠れ面１１６等が露出する。
【００３８】
これにより、筐体１１０の前面に配されたもうひとつの前玉１５４が、外部に向かって露出する。即ち、前玉１５４は、筐体１１０の中心に対して図中左側に寄せて配されて、第２の光学系の一部をなす。図１から図３までに示したように、グリップ部１３０が収納状態にある場合、前玉１５４はグリップ部１３０の前面に覆われる。しかしながら、前玉１５４が寄せて配置されるデジタルカメラ１００の左側と同じ左側にグリップ部１３０が引き出されて伸展状態になった場合、前玉１５４は外部に向かって露出する。
【００３９】
また、引き出されたグリップ部１３０において、指掛け部１３２は、前玉１５４よりも更に左側に位置する。よって、指掛け部１３２を把持することにより、前玉１５４を遮ることなく、デジタルカメラ１００を保持できる。
【００４０】
ここで、レリーズボタン１２２および押しボタン１２４は、グリップ部１３０の上面に配されている。よって、レリーズボタン１２２および押しボタン１２４は、引き出されて移動したグリップ部１３０と共に筐体１１０に対して図中左方に移動する。従って、グリップ部１３０が引き出された場合も、レリーズボタン１２２および押しボタン１２４と指掛け部１３２との相対位置は変わらない。
【００４１】
これにより、グリップ部１３０を引き出して伸展状態にした場合も、グリップ部１３０を収納している場合と同様に、指掛け部１３２を指掛かりとしてデジタルカメラ１００を把持しつつ、同じ手の人指し指によりレリーズボタン１２２および押しボタン１２４を容易に操作できる。よって、ユーザは、レリーズボタン１２２を全押しすることにより、画像取得開始をデジタルカメラ１００に意図したタイミングで指示できる。
【００４２】
更に、グリップ部１３０の前面には、一部に切欠き１３６が形成される。これにより、グリップ部１３０を引き出して伸展状態にした場合は、切欠き１３６が形成されていない部分に比較すると、引き出し方向についてより左側に前玉１５４が現れる。
【００４３】
上記のような作用に鑑みて、筐体１１０から引き出されたグリップ部１３０の位置は、グリップ部１３０が引き出された後に現れる前玉１５４の配置が筐体１１０の中央に対して寄せられたと同じ方向成分を含むことが好ましい。しかしながら、グリップ部１３０を引き出し終わるまでの移動経路は、どのような成分を含んでいても差し支えない。即ち、図示のように、引き出されるグリップ部１３０は直線的に移動してもよい。また、グリップ部１３０の移動は、伸展状態に至る過程で回転、揺動等の成分を含んでもよい。
【００４４】
なお、筐体１１０の前面において、グリップ部１３０が収納状態にある場合に切欠き１３６が位置していた領域には、切欠き１３６の形状と相補的な形状の段差１１５が配される。段差１１５に包囲された領域は、前面側隠れ面１１３から隆起して筐体１１０の前面と連続した面をなす。これにより、グリップ部１３０が収納状態になった場合、グリップ部１３０および筐体１１０は滑らかに連続した面をなす。
【００４５】
また、上面側隠れ面１１６には、グリップ部１３０の内面から離間した逃げ１１７が配される。逃げ１１７は、グリップ部１３０の下で筐体１１０の左側端部まで延在する。これにより、グリップ部１３０の上面に配されたレリーズボタン１２２および押しボタン１２４の内部構造物が、グリップ部１３０の内側で筐体１１０と干渉することなく、グリップ部１３０を引き出すことができる。
【００４６】
また更に、グリップ部１３０を引き出した状態においても、切欠き１３６を除く全周において、グリップ部１３０および筐体１１０が重なっている。よって、グリップ部１３０および筐体１１０の結合部の長さを十分にとって、当該結合部の剛性を高くすることができる。
【００４７】
図５は、デジタルカメラ１００の内部構造を示す模式図である。同図は、図４に示した状態のデジタルカメラ１００において、筐体１１０の内部に配された部材の状態を、デジタルカメラ１００の前面側から見た様子を示す。図１から図４までと共通の要素には同じ参照番号を付して重複する説明を省く。
【００４８】
デジタルカメラ１００の筐体１１０は、電池１１２、主基板１１４、一対の光学系１５１、１５３、フラッシュ１６２および補助光源１６４を内蔵する。一対の光学系１５１、１５３は、筐体１１０の両側端に沿って配される。これにより、光学系１５１、１５３の各々の前玉１５２、１５４は、筐体１１０の右上および左上の隅部に、筐体１１０の中心線Ｃに対して対称に配される。
【００４９】
光学系１５１、１５３は、それぞれの前玉１５２、１５４から入射した被写体光束を撮像素子（例えば２つのＣＭＯＳセンサ）上に結像させて、被写体像を電気信号に変換し、デジタル化処理された上で記録できる。
【００５０】
グリップ部１３０の上面に配されたレリーズボタン１２２は、一対の光学系１５１、１５３の少なくとも一方を介した画像の取得開始のタイミングを指示できる。このとき、不図示の制御部は、少なくとも一方の撮像素子からの電気信号に対応するデジタル化処理後の撮影画像データを記録媒体に記録させる。また、レリーズボタン１２２は、一回の操作で一対の光学系１５１、１５３の両方に同じタイミングで画像の取得開始を指示できる。このとき、不図示の制御部は、それぞれの撮像素子からの電気信号に対応するデジタル化処理後の一対の２つの撮影画像データを関連付けて記録媒体に記録させる。
【００５１】
このような操作により一対の光学系１５１、１５３で取得された一対の画像データは、例えば、相互に所定の視差を有する右目用画像および左目用画像となる。よって、これら一対の画像を組み合わせることにより立体視画像を表示できる。具体的には、不図示の制御部は、記録媒体に記録された所定の視差を有する左目用画像と右目用画像とを合成し立体視画像を生成し、この合成後の立体視画像を液晶表示部１７０に表示するよう制御する。また、不図示の制御部は、この立体視画像を記録媒体に記録させてもよい。なお、例えば、この立体視画像は、不図示の制御部により右目用画像の列成分と左目用画像の列成分とが交互に配置されるように合成された画像である。
【００５２】
なお、一方の前玉１５４がグリップ部１３０により覆われている場合、光学系１５３の前玉１５４には被写体光束が入射しない。よって、光学系１５３を介して被写体像を撮像することができない。そこで、グリップ部１３０が収納状態にあって前玉１５４を覆っている場合は、レリーズボタン１２２の半押および全押による操作の反映を、一方の光学系１５３に対して無効にしてもよい。
【００５３】
一対の光学系１５１、１５３の間には、フラッシュ１６２および補助光源１６４が配される。また、光学系１５１、１５３の間であって、フラッシュ１６２および補助光源１６４の下方には、電池１１２が収容される。更に、電池１１２、フラッシュ１６２および補助光源１６４の後方には、主基板１１４が紙面に平行に配される。このようなレイアウトにより、前玉１５２、１５４の間隔を筐体１１０の幅に対して広くすることができる。
【００５４】
ここで、フラッシュ１６２および補助光源１６４は、一対の前玉１５２、１５４の中央に配される。また、図中に符号Ｄで示すように、一対の光学系１５１、１５３は、筐体１１０の中心線Ｃに対して対称に配される。このようなレイアウトにより、フラッシュ１６２および補助光源１６４は、光学系１５１、１５３の双方に対して、対称な条件で閃光および補助光を作用させることができる。
【００５５】
収納状態のグリップ部１３０に覆われる前玉１５４は、図中に矢印Ｖ１で示すように、筐体１１０の中心線Ｃに対して図中左側に寄せて配置される。よって、前玉１５４を含む光学系１５３の位置も、図中に矢印Ｖ２で示すように、中心線Ｃに対して図中左側に位置する。なお、上記の光学系１５３の位置は、正面図における光学系１５３の幾何学的中心であってもよいし、実機における光学系１５３の重心の位置であってもよい。
【００５６】
上記のような光学系１５３の位置に対して、伸展されたグリップ部１３０の伸展状態の位置も、図中の矢印Ｂで示すように、その収納状態の位置に対して図中左側になる。このように、グリップ部１３０の収納状態に対する伸展状態の方向に、筐体１１０の中心線Ｃに対する光学系１５３の方向の成分を含ませることにより、伸展状態のグリップ部１３０を光学系１５３よりも外縁側に位置させて、指掛け部１３２を把持しやすくできる。
【００５７】
なお、グリップ部１３０の収納状態と伸展状態との位置関係は、中心線Ｃに対する光学系１５３の位置関係と同じ成分を含んでいればよいのであって、両者は同一に限られるわけではない。即ち、光学系１５３が中心線Ｃの左方に位置している場合に、収納状態と伸展状態との位置関係は、左方への水平成分を含んでいれば、更に、筐体１１０に対して下方、上方、前方または後方に延びる成分を含んでもよい。
【００５８】
また、光学系１５１、１５３は、筐体１１０の内部に隠れていて、外部に現れる前玉１５２、１５４とは異なる形状を有する。しかしながら、光学系１５１、１５３は、前玉１５２、１５４と不可分な構造なので、前玉１５２、１５４の配置と光学系１５１、１５３の配置とは同じ傾向を有する。よって、指掛け部１３２の移動方向に、光学系１５１、１５３の配置方向の成分を含ませることにより、伸展状態において前玉１５４への指掛かりを生じることなく指掛け部１３２を保持しやすくできる。
【００５９】
更に、上記の例では、グリップ部１３０が筐体１１０の表面に沿って側方に移動した。しかしながら、グリップ部１３０の、収納状態から伸展状態への移動、および、伸展状態から収納状態への移動は、直線的な並進には限られない。即ち、グリップ部１３０の移動経路は屈曲していてもよい。また、グリップ部１３０の移動は回転運動等を含んでいてもよい。
【００６０】
例えば、一対の光学系１５１、１５３を備えるデジタルカメラ１００の一例として、立体視画像を撮像する立体撮像装置がある。立体撮像装置では、一対の前玉１５２、１５４の間には、人が視差を感じることできる程度の間隔をおくことが求められる。一方、携帯機器としてのデジタルカメラ１００は、筐体１１０を小型化することが求められる。このため、前玉１５２、１５４は、筐体１１０の周縁部近傍に配することを余儀なくされる。
【００６１】
その結果、前玉１５２、１５４を筐体１１０の周縁部近傍に配した場合、筐体１１０を側方から把持する手の指が前玉１５２、１５４に掛かりやすくなる。しかしながら、デジタルカメラ１００では、筐体１１０の周縁部に配された一方の前玉１５４よりも、指掛け部１３２を含むグリップ部１３０を更に側方に引き出すことができる。
【００６２】
このように、デジタルカメラ１００は、収納状態と比較した場合に、筐体１１０の外側まで延出するグリップ部１３０を備える。延出して延伸状態に位置するグリップ部１３０は、前玉１５４を含む光学系１５３を遮ることなく、指を掛けて把持できる指掛け部１３２を有する。これにより、筐体１１０の周縁部に配置された前玉１５４に指を掛けることなく、デジタルカメラ１００を確実に保持できる。
【００６３】
図６は、デジタルカメラ１００を斜め後方から見下ろした斜視図である。同図は、図４に示した状態のデジタルカメラ１００を、背面側から見下ろした様子を示す。他の図と共通の要素には同じ参照番号を付して重複する説明を省く。
【００６４】
図示の状態では、グリップ部１３０は、筐体１１０に対して図中で右側に引き出されている。また、グリップ部１３０の表面に配されたレリーズボタン１２２、押しボタン１２４、十字キー１２６等の操作部も、グリップ部１３０と共に右側に移動している。
【００６５】
これにより、レリーズボタン１２２、押しボタン１２４、十字キー１２６等の位置と、デジタルカメラ１００の側端部との位置関係は変わらない。よって、グリップ部１３０を引き出した状態でも、図３に示した状態のデジタルカメラ１００と同様の操作性が維持される。
【００６６】
更に、グリップ部１３０が引き出された状態では、デジタルカメラ１００の背面においても、筐体１１０の背面側隠れ面１１９が露出する。背面側隠れ面１１９には、複数の隠れ面ボタン１２８が配される。
【００６７】
隠れ面ボタン１２８には、グリップ部１３０が引き出されて前玉１５４が露出した場合に限って使用される変更操作機能を割り当ててもよい。即ち、例えば、上述の所定の視差を大小を調整するための補正や、上述の右目用画像の列成分と左目用画像の列成分とを交互に配置する際の列数の補正等のように、立体視画像における独特のパラメータを変更する操作を隠れ面ボタン１２８割り当ててもよい。
【００６８】
なお、上述の補正は、隠れ面ボタン１２８の操作に応じて不図示の制御部により実行され、補正後の立体視画像は不図示の制御部により液晶表示部１７０に表示、または、記録媒体に記録させる。また、立体画像撮像に関連付けて、立体画像を再生する場合のパラメータを変更する操作を隠れ面ボタン１２８割り当ててもよい。これにより、一方の光学系１５３がグリップ部１３０により覆われている場合に、覆われた光学系１５３に作用する操作をすることが未然に防止される。
【００６９】
更に、隠れ面ボタン１２８を操作するには、グリップ部１３０を伸展状態にする操作が伴う。よって、保存したファイルの削除、記録媒体の初期化等、誤操作の及ぼす影響が大きな操作を隠れ面ボタン１２８割り当ててもよい。
【００７０】
デジタルカメラ１００は、グリップ部１３０および前面カバー１４０を閉じた収納状態とすることにより、前玉１５２、１５４並びにフラッシュ１６２および補助光源１６４を覆い隠すことができる。よって、携帯する場合に、前玉１５２、１５４並びにフラッシュ１６２および補助光源１６４に塵芥等が付着することを防止できる。
【００７１】
また、デジタルカメラ１００は、立体視画像を撮影し得る一対の光学系１５１、１５３を備えながら、グリップ部１３０が収納状態の場合は、平面画像の撮像装置に近い外形寸法を有する。更に、筐体１１０の中心に対して、前玉１５２が一方の側部に、指掛け部１３２が他方の側部に寄った配置を有する。よって、前玉１５２へ入射する被写体光束を指等で遮ることなく、デジタルカメラ１００を確実に保持して撮影ができる。
【００７２】
また更に、デジタルカメラ１００は、グリップ部１３０を引き出して伸展状態にした場合に、指掛け部１３２が筐体１１０の外側まで伸展する。これにより、前玉１５４に入射する被写体光束を遮ることなくグリップ部１３０を把持して、デジタルカメラ１００を確実に保持できる。
【００７３】
また更に、レリーズボタン１２２および押しボタン１２４をグリップ部１３０に配置した場合、レリーズボタン１２２および押しボタン１２４は、グリップ部１３０と共に筐体１１０に対して移動する。よって、グリップ部１３０の位置にかかわらず、グリップ部１３０を把持する手の人指し指によりレリーズボタン１２２および押しボタン１２４を操作できる。
【００７４】
また、上記のようなグリップ部１３０を備えるので、立体視画像を撮影する一対の光学系１５１、１５３を、筐体１１０の幅いっぱいに離間して配置できる。よって、視差による立体感を感じ取りやすい立体視画像を撮影できる。
【００７５】
更に、グリップ部１３０の前面に切欠き１３６を設けることにより、グリップ部１３０を伸展状態に移動させた場合に、筐体１１０の周縁部いっぱいに配された光学系１５３の前玉１５４を露出させることができる。また、伸展状態であっても、筐体１１０およびグリップ部１３０の重なりを多く残すことができるので、筐体１１０およびグリップ部１３０の結合部の剛性を高くできる。
【００７６】
また更に、グリップ部１３０が収納状態にある場合にグリップ部１３０により覆われる光学系１５３に結果が反映される操作を隠れ面ボタン１２８に割り当てることにより、用いることができない状態にある光学系１５３を対象とした隠れ面ボタン１２８の操作を禁止できる。また、グリップ部１３０が伸展状態になって光学系１５３を用いることができる状態になると、操作結果が光学系１５３に反映される隠れ面ボタン１２８も操作できる状態になる。このように、デジタルカメラ１００では、操作の対象になる部材と、操作の結果が反映される部材とが揃って現れあるいは隠されるので、誤操作を未然に防止できる。
【００７７】
なお、上記の例では、グリップ部１３０に切欠き１３６を設けることにより、グリップ部１３０を伸展状態にした場合も、グリップ部１３０と筐体１１０との重なりが広く残るようにした。しかしながら、グリップ部１３０および筐体１１０を係合させるガイドレール１３１の構造を工夫することにより、切欠き１３６を省いて、グリップ部１３０の形状を簡潔にすることもできる。
【００７８】
また、上記の例では、光学系１５１、１５３の各々が撮像素子を備えるように説明したが、一対の光学系１５１、１５３が単一の撮像素子を共用してもよい。この場合、一対の光学系１５１、１５３の結像した被写体像を、僅かな時間差をおいて個別に電気信号に変換して記録することにより、それぞれの光学系１５１、１５３に対応した画像を記録できる。
【００７９】
更に、上記の例では、単一の光学系を使用する場合に、前面カバー１４０を開いて、前玉１５２を含む光学系１５１を使用することを説明した。しかしながら、前面カバー１４０を閉じたままグリップ部１３０を側方にスライドさせて伸展状態として前玉１５４を露出させ、光学系１５３を用いて画像を記録してもよい。この場合、フラッシュ１６２は前面カバー１４０に覆われた状態なので、光学系１５３を単独で用いた場合は自動的に発光禁止モードとなる。
【００８０】
また更に、グリップ部１３０および前面カバー１４０に、電源スイッチの機能を割り当ててもよい。即ち、グリップ部１３０および前面カバー１４０が共に閉じた場合は、デジタルカメラ１００の電源を遮断する機能を設けてもよい。また、グリップ部１３０および前面カバー１４０のいずれかが開かれた場合は、開かれた側の光学系１５１、１５３を用いた撮像ができるように電源を投入する機能を設定してもよい。更に、グリップ部１３０および前面カバー１４０が両方開かれた場合に、デジタルカメラ１００の動作を立体画像撮像モードに切り替える機能を設けてもよい。
【００８１】
また更に、一対の光学系１５１、１５３の仕様は互いに異なっていてもよい。例えば、光学系１５１、１５３に含まれる撮像素子の特性を異なるものとすることにより、撮像条件に応じて使用する光学系を選択できるようにしてもよい。また、単独で使用することが多いと考えられる一方の光学系をより高性能なものとし、他方の光学系を簡素なものにすることにより、デジタルカメラ１００全体の性能を底上げすると共に、製品コストを抑制できる。
【００８２】
以上、デジタルカメラ１００を例に挙げて説明したが、上記携帯機器の特徴は、小型化が求められる携帯機器において、何らかの理由により、入出力部を筐体の周縁部に配置しなければならない事情がある場合に広く適用できる。また、撮像装置と映写機、望遠鏡と測距装置等の複合携帯機器にも適用できる。
【００８３】
本発明を実施の形態を用いて説明したが、本発明の技術的範囲は上記実施の形態に記載の範囲には限定されない。上記実施の形態に、多様な変更または改良を加え得ることが当業者に明らかである。その様な変更または改良を加えた形態も本発明の技術的範囲に含まれ得ることが、特許請求の範囲の記載から明らかである。
【符号の説明】
【００８４】
１００  デジタルカメラ、１１０  筐体、１１１  合わせ目、１１２  電池、１１３  前面側隠れ面、１１４  主基板、１１５  段差、１１６  上面側隠れ面、１１７  逃げ、１１９  背面側隠れ面、１２２  レリーズボタン、１２４  押しボタン、１２６  十字キー、１２８  隠れ面ボタン、１３０  グリップ部、１３１、１４２  ガイドレール、１３２  指掛け部、１３４  ストラップホール、１３６  切欠き、１４０  前面カバー、１５１、１５３  光学系、１５２、１５４  前玉、１６２  フラッシュ、１６４  補助光源、１７０  液晶表示部
【図１】
2012032651.tif 000003
【図２】
2012032651.tif 000004
【図３】
2012032651.tif 000005
【図４】
2012032651.tif 000006
【図５】
2012032651.tif 000007
【図６】
2012032651.tif 000008